(57)【要約】【課題】  本発明は、携帯電話の表示方法およびその携帯電話を提供する。【解決手段】  携帯電話は、文字又は数字からなるデータ情報を記憶する記憶モジュールを含む携帯電話であって、電気量を供給する電池と、前記記憶モジュールと前記電池とにそれぞれ接続され、前記携帯電話がパワーオフ状態で前記電池の残余電気量を利用して前記データ情報を表示する表示モジュールとを含む。本発明によれば、携帯電話をパワーオンできない場合、携帯電話に残っている電気量を利用し低消費電力の表示モジュールを採用して、最近の受信電話番号と発信電話番号と不在中電話番号とを照会することができ、ユーザは、これらの記録を利用して早速通話でき、電話番号を照会できないことによって通話タイミングを失うことを避ける。また、本発明によれば、FIFO技術と７セグメントモノカラーLCDスクロール表示技術を用いることによって、操作が便利でコストが低い。【選択図】  図２
2009130939.tif 000002
【特許請求の範囲】
【請求項１】
文字又は数字からなるデータ情報を記憶する記憶モジュールと、
前記携帯電話に電気量を供給する電池と、
前記記憶モジュールと前記電池とにそれぞれ接続され、前記携帯電話がパワーオフ状態で前記電池の残余電気量を利用して前記データ情報を表示する表示モジュールと
を含む携帯電話。
【請求項２】
前記データ情報は、前記携帯電話のユーザが操作した電話番号及び／又はショートメッセージであることを特徴とする請求項１に記載の携帯電話。
【請求項３】
前記表示モジュールは、携帯電話ディスプレイスクリーン又はディスプレイスクリーンと独立された別のスクリーンであることを特徴とする請求項２に記載の携帯電話。
【請求項４】
前記操作した電話番号は、着信電話番号と発信電話番号と不在中着信電話番号とを含むことを特徴とする請求項２に記載の携帯電話。
【請求項５】
前記表示モジュールは、電話番号を表示する７セグメントコードモノカラーLCDスクリーンを含むことを特徴とする請求項１に記載の携帯電話。
【請求項６】
前記表示モジュールは、前記データ情報の表示を制御する制御キーを含むことを特徴とする請求項５に記載の携帯電話。
【請求項７】
前記モノカラーLCDスクリーンは、携帯電話に設けられた透明液晶シートであることを特徴とする請求項５に記載の携帯電話。
【請求項８】
前記モノカラーLCDスクリーンは、時間表示スクリーンであることを特徴とする請求項５に記載の携帯電話。
【請求項９】
携帯電話の表示方法であって、
電池中に残余電気量のある携帯電話をパワーオフすることと、
前記電池の残余電気量を利用して表示モジュールに電力供給することと、
携帯電話に記憶されたデータ情報を表示することとを含む表示方法。
【請求項１０】
前記データ情報は、テキスト及び／又は数字を含むことを特徴とする請求項９に記載の表示方法。
【請求項１１】
前記テキストは、前記携帯電話のユーザが操作したショートメッセージであり、前記数字は、着信電話番号、又は、発信電話番号、又は、不在中着信電話番号であることを特徴とする請求項１０に記載の表示方法。
【請求項１２】
電池中に残余電気量のある携帯電話をパワーオフする手段と、
前記電池の残余電気量を利用して表示モジュールに電力供給する手段と、
携帯電話に記憶されたデータ情報を表示する手段とを含む携帯電話。
【請求項１３】
前記データ情報は、テキスト及び／又は数字を含むことを特徴とする請求項１２に記載の携帯電話。
【請求項１４】
前記テキストは、前記携帯電話のユーザが操作したショートメッセージであり、前記数字は、着信電話番号、又は、発信電話番号、又は、不在中着信電話番号であることを特徴とする請求項１３に記載の携帯電話。
【請求項１５】
電池中に残余電気量のある携帯電話をパワーオフし、
前記電池の残余電気量を利用して表示モジュールに電力供給し、
携帯電話に記憶されたデータ情報を表示する
少なくとも１つの部品を備えることを携帯電話。
【請求項１６】
前記データ情報は、テキスト及び／又は数字を含むことを特徴とする請求項１５に記載の携帯電話。
【請求項１７】
前記テキストは、前記携帯電話のユーザが操作したショートメッセージであり、前記数字は、着信電話番号、又は、発信電話番号、又は、不在中着信電話番号であることを特徴とする請求項１６に記載の携帯電話。
【発明の詳細な説明】
【技術分野】
【０００１】
本発明は、移動通信分野の移動端末技術に関し、特に、携帯電話の表示方法およびその携帯電話に関する。
【背景技術】
【０００２】
携帯電話は、社会の発展につれて、日常において不可欠の通信手段となっており、通常の携帯電話の電池使用時間は、３〜４日程度であるので、携帯電話の電気量の不足によって携帯電話の正常使用をサポートできない場合が多く発生する。
【０００３】
通常、人々は出勤、ショッピング等の日常外出時に充電器又は予備電池を携帯することがないので、このような場合、携帯電話の電気量不足時に充電又は電池の入れ替えがすぐにできないため、パワーオンすることができない。
【０００４】
携帯電話電気量の不足によってパワーオフしようとするとき、ちょうど重要な着信があったり、携帯電話が通話中に電気量不足によってパワーオフされたり、パワーオンできなくなったりして、この時に電話番号が記録できなかったら、公衆電話又は他人の電話を借りても通話が出来なくなり、重要な情報を失いか又は通話交流チャンスを失うことになる。
【０００５】
同様に、携帯電話の電気量不足の時、電話がかかってくると、ベルが鳴った途端に電気量不足でパワーオフされてパワーオンできない場合、使用者は誰から電話が来たかがわからなくなり、重要な情報を失いか又は交流チャンスを失うことになる。
【０００６】
同様に、重要な発信があって、通話している途中に携帯電話の電気量不足で、パワーオフされた後パワーオンできなくなり、普通ユーザは名前で発信を行い、電話番号を覚えないため、通話交流のタイミングを失う。
【０００７】
当然、使用者は予備用電池を持つことで携帯電話の電気量を保障してもいいが、電池を換えるときに、受信電話番号、発信電話番号、不在中電話番号等の記録が無くなる。それに、予備用電池も使いきりになる。
【０００８】
そのため、電気量不足によって携帯電話をパワーオンできない場合には、携帯電話に記憶された電話情報を使うことが困難になり、特に、最近連絡した人の電話番号等を得て固定電話により通話することが困難になり、通話交流のタイミングを失って、使用者に非常に不便をもたらす。
【発明の開示】
【発明が解決しようとする課題】
【０００９】
本発明は、従来の技術において携帯電話をパワーオンできないときに携帯電話に記憶された最近の通話情報を使えることができないという技術課題を解決できる携帯電話の表示方法およびその携帯電話を提供することを目的とする。
【課題を解決するための手段】
【００１０】
前記目的を実現するために、文字又は数字からなるデータ情報を記憶する記憶モジュールを含む携帯電話であって、
電気量を供給する電池と、
前記記憶モジュールと前記電池とにそれぞれ接続され、前記携帯電話がパワーオフ状態で前記電池の残余電気量を利用して前記データ情報を表示する表示モジュールと
を含む携帯電話を提供する。
【００１１】
好ましくは、前記携帯電話において、前記データ情報は、具体的に前記携帯電話のユーザが操作した電話番号及び／又はショートメッセージである。
【００１２】
好ましくは、前記携帯電話において、前記表示モジュールは、携帯電話ディスプレイスクリーン又はディスプレイスクリーンと独立された別のスクリーンである。
【００１３】
好ましくは、前記携帯電話において、前記操作した電話番号は、受信電話番号と発信電話番号と不在中電話番号とを含む。
【００１４】
好ましくは、前記携帯電話において、前記表示モジュールは、電話番号を表示する７セグメントコードモノカラーLCDスクリーンを含む。
【００１５】
好ましくは、前記携帯電話において、前記表示モジュールは、前記データ情報の表示を制御する制御キーを含む。
【００１６】
好ましくは、前記携帯電話において、前記モノカラーLCDスクリーンは、携帯電話スクリーン上に設けられた透明液晶シートである。
【００１７】
好ましくは、前記携帯電話において、前記モノカラーLCDスクリーンは、デュアルスクリーン携帯電話の時間表示スクリーンである。
【００１８】
前記目的を実現するために、本発明は、携帯電話の表示方法であって、
電池中に残余電気量のある携帯電話をパワーオフすることと、
前記電池の残余電気量を利用して表示モジュールに電力供給することと、
前記表示モジュールによって携帯電話における文字又は数字からなるデータ情報を表示することとを含む携帯電話の表示方法を提供する。
【００１９】
好ましくは、前記携帯電話の表示方法において、前記データ情報は、具体的に前記携帯電話のユーザが操作した電話番号及び／又はショートメッセージである。
【発明の効果】
【００２０】
本発明は、以下のような技術効果を有する。
【００２１】
1）携帯電話をパワーオンできない場合、携帯電話に残っている電気量を利用し低消費電力の表示モジュールを採用して、最近の受信電話番号と発信電話番号と不在中電話番号とを照会することができ、ユーザは、これらの記録を利用して早速通話でき、電話番号を照会できないことによって通話タイミングを失うことを避ける。
【００２２】
2）FIFO技術と７セグメントモノカラーLCDスクロール表示技術を用いることによって、操作が便利でコストが低い。
【発明を実施するための最良の形態】
【００２３】
以下、本発明の実施例の目的、技術方案とメリットを更にはっきりするために、具体的な実施例について、図面を合わせて詳細に説明する。
【００２４】
図１は、本発明の実施例における携帯電話の記憶モジュールの工作原理を示す図である。携帯電話の記憶モジュールは、FIFO（First In, First Out）技術を採用して、携帯電話における最近操作した電話番号を記憶する。FIFO技術は、従来の技術であるため、ここでは贅言しない。
【００２５】
図２は、本発明の実施例における携帯電話の内部構成図であり、同図に示すように、本発明の実施例における携帯電話は表示モジュール201を追加した。表示モジュールは、低消費電力の７セグメントコードモノカラーLCDスクリーンを採用してもいい。表示モジュール201は、記憶モジュール202に接続され、パワーオフ状態で記憶モジュールに記憶された最近操作した電話番号を表示する。表示モジュール201は、携帯電話の電池203に接続され、携帯電話が電気量不足によってパワーオフになった後、携帯電話の電池203の残余電気量によって電力を取得する。
【００２６】
そのほか、記憶モジュール202は、携帯電話における最近操作したショートメッセージも記憶でき、表示モジュール201は、携帯電話における最近操作したショートメッセージも表示できる。表示モジュールは、携帯電話のディスプレイスクリーン又はディスプレイスクリーンと独立された別のスクリーンであってもいい。
【００２７】
携帯電話の電池の残余電気量を判断する最も簡単な方法は、電圧を測定することであり、通常携帯電話の電池の公称電圧は3.7V/3.6V （電圧は、電気チップの設計プロセスによって異なり、容量の大きい新型電池は3.7Vの場合が多い）であり、本発明の実施例における携帯電話の電池は以下のような電圧パラメータを有する。
【００２８】
充電カットオフ電圧：4.2V/4.1V（このとき、電池電気量は100%）
携帯電話パワーオフ電圧：3.5V （通常）
電池放電下限：2.75V/2.7V
【００２９】
電池残余電気量と電圧との対応関係は以下のとおりである（充電カットオフ電圧が4.2Vである場合を例とする）：
4.20V----100% 
3.95V----75% 
3.85V----50% 
3.73V----25% 
3.50V----5% 
2.75V----0%
【００３０】
本発明の実施例において、低消費電力表示モジュールは、MCU（micro control unit）の方式を採用する方式を例とし、工作パラメータは：8.5μA，2.0Vであり、そのため、携帯電話が電気量不足によってパワーオフされた後、電池の3.5Vから2.75Vの間におけるエネルギーは5%で、600mAhとして計算すると、残り30mAhが低消費電力表示モジュールを3000時間程度サポートできる。そのため、電池残余電気量は低消費電力表示モジュールの工作を十分にサポートでき、低消費電力表示モジュールの消費電力がとても小さく、電池が深度放電状況になる確率も低く、電池には電池保護板が設置され、低圧保護があり、通常2.5V程度なので、深度放電にならない限り、副作用がない。
【００３１】
そのため、本発明の実施例において、携帯電話の電池残余電気量を使用して低消費電力の表示モジュールの表示を保障でき、更に電池を追加する必要がないだけではなく、電池深度放電も防止し、副作用もない。
【００３２】
図３は、本発明の実施例における携帯電話の低消費電力表示モジュールのディスプレイスクリーンを示す図である。低消費電力表示モジュールは、７セグメントコードモノカラーLCDスクリーン301を採用して電話番号を表示し、前記モノカラーLCDスクリーン301は、携帯電話スクリーンに設置された透明液晶シートであり、携帯電話のパワーオンときは透明状態で、表示しなく、携帯電話のパワーオフときは自動的に起動され、最近操作した電話番号を表示する。本発明の実施例におけるディスプレイスクリーンのコストは非常に低くて、その製造費用は電子時計又は計算機ディスプレイスクリーンの価格を参考してもよい。当然、携帯電話がデュアルスクリーンの場合、低消費電力表示モジュールのディスプレイスクリーンは、デュアルスクリーン携帯電話の時間表示スクリーンを直接採用してもよい。
【００３３】
図４は、本発明の実施例における表示しようとする最近操作した電話番号を示す図である。電話番号は受信電話番号と発信電話番号と不在中電話番号とを含み、表示過程に、制御キーを利用して表示番号の切り替えを行い、制御キーは弱いバックライトを採用する。
【００３４】
図５は、本発明の方法実施例のフローチャートである。本発明の携帯電話の表示方法は、ステップ501とステップ502とステップ503とを含む。
【００３５】
ステップ501において、携帯電話をパワーオフする。携帯電話のパワーオフは正常パワーオフでもいいし、電池の電気量不足によるパワーオフでもよいが、この時電池には残余電気量が有る。
【００３６】
ステップ502において、低消費電力表示モジュールを起動する。
【００３７】
ステップ503において、携帯電話における文字及び／又は数字からなるデータ情報、例えば、最近操作した電話番号を表示する。
【００３８】
本発明の携帯電話の表示方法は、前記の最近操作した電話番号のうち受信電話番号と発信電話番号と不在中電話番号とに対して制御表示を行うことをさらに含む。
【００３９】
これによれば、本発明の実施例の技術効果は以下のとおりである。
【００４０】
1）携帯電話をパワーオンできない場合、携帯電話に残っている電気量を利用し低消費電力の表示モジュールを採用して、最近の受信電話番号と発信電話番号と不在中電話番号とを照会することができ、ユーザは、これらの記録を利用して早速通話でき、電話番号を照会できないことによって通話タイミングを失うことを避ける。
【００４１】
2）FIFO技術と７セグメントモノカラーLCDスクロール表示技術を用いることによって、操作が便利でコストが低い。
【００４２】
以上述べたのは、本発明の好ましい実施の形態に過ぎない。当業者は、本発明の精神と範囲から逸脱しない場合に、さまざまな変更や入替えや追加を行ってもよい。従って、本発明の範囲は上述した実施例に限定されると理解すべきではなく、添付の請求項によって限定されるべきである。
【図面の簡単な説明】
【００４３】
【図１】本発明の実施例における携帯電話の記憶モジュールを示す図である。
【図２】本発明の実施例における内部構成図である。
【図３】本発明の実施例における携帯電話の表示モジュールであるディスプレイスクリーンを示す図である。
【図４】本発明の実施例における表示しようとする電話番号を示す図である。
【図５】本発明の方法実施例のフローチャートである。
【符号の説明】
【００４４】
２０１  表示モジュール
２０２  記憶モジュール
２０３  電池
３０１  ＬＣＤスクリーン
【図１】
2009130939.tif 000003
【図２】
2009130939.tif 000004
【図３】
2009130939.tif 000005
【図４】
2009130939.tif 000006
【図５】
2009130939.tif 000007